(57)【要約】  スライド構造は、第２筐体と第２筐体に摺動可能に設けられた第１筐体とを具備する携帯機器のスライド構造である。第１筐体の表示装置が内部に収められ、摺動方向に平行な側面にスライド溝を有する表示部フレームと、第２筐体の摺動方向に平行な側面に沿って設けられ、先端部分がスライド溝に摺動可能に係合するスライド支持部とを具備する。単純な機構で小型かつ高強度であり、大きなストローク長を取ることが可能で、小型・薄型を維持したまま画面表示の損傷を保護することが可能な高剛性を有する携帯機器のスライド機構及び携帯機器が提供される。
2008120706.tif 000002
【特許請求の範囲】
【請求項１】
第２筐体と前記第２筐体に摺動可能に設けられた第１筐体とを具備する携帯機器のスライド構造であって、
前記第１筐体の表示装置が内部に収められ、前記摺動方向に平行な側面にスライド溝を有する表示部フレームと、
前記第２筐体の前記摺動方向に平行な側面に沿って設けられ、先端部分が前記スライド溝に摺動可能に係合するスライド支持部と
を具備する
スライド構造。
【請求項２】
請求の範囲１に記載のスライド構造において、
前記表示部フレームは、前記摺動方向に平行な対向する二つの側面にそれぞれ前記スライド溝を有し、
前記スライド支持部は、前記第２筐体の前記摺動方向に平行な対向する二つの側面に沿って設けられ、先端部分が前記スライド溝に摺動可能に係合する
スライド構造。
【請求項３】
請求の範囲２に記載のスライド構造において、
前記表示部フレームは金属製であり、前記第１筐体の外装筐体とねじ止め又は接着固定されている
スライド構造。
【請求項４】
請求の範囲２に記載のスライド構造において、
前記表示部フレームは金属製であり、前記第１筐体の外装筐体と一体成形で製作される
スライド構造。
【請求項５】
請求の範囲２に記載のスライド構造において、
前記表示部フレームは潤滑性樹脂である
スライド構造。
【請求項６】
請求の範囲１に記載のスライド構造において、
前記表示部フレームは、
前記表示部フレームの側面に設けられた前記摺動方向に伸びる板状部品を備え、
前記スライド溝は、前記表示部フレームの側面と前記板状部品との間隙で構成され、
前記板状部品は、前記表示部フレームに対し、溶接、ねじ止め又は接着される
スライド構造。
【請求項７】
請求の範囲１乃至６のいずれかに記載のスライド構造において、
前記表示部フレームが金属板金のプレス加工による
スライド構造。
【請求項８】
請求の範囲１乃至７のいずれかに記載のスライド構造と、
第２筐体と、
前記第２筐体に摺動可能に設けられた第１筐体と
を具備する
携帯機器。
【発明の詳細な説明】
【技術分野】
【０００１】
本発明は、携帯機器のスライド構造及びそれを用いた携帯機器に関し、特に、携帯電話やデジタルカメラ、電子手帳など携帯機器のスライド機構の構造及びその構造を用いた携帯機器に関する。
【背景技術】
【０００２】
近年、携帯用の機器である携帯機器において、携行時の携帯性の向上とともに、単に通話するだけでなく、電子メールの送受信や、インターネット接続、ゲーム機能など利用目的が大きく広がっている。このため、大画面の表示装置と文字入力等の操作性を両立させる様々な機構を備える携帯機器がある。例えば、折り畳み式携帯機器は、通常は折り畳んだ状態で携行することで携帯性を有しつつ、通話時やメール送信時には伸長させ大画面の表示部と操作部を露出させて各種の操作を可能としている。折り畳み式では、携行時の誤動作を防止できる反面、折り畳み時には表示部が露出していないためにほとんど操作ができなくなる。このため折り畳んだ状態で確認できる表示部を別に設ける場合がある。一方、スライド型携帯機器は、収納時や伸長時を問わず常に表示部が露出しているため、どの状態であっても表示部を確認できる。収納時、すなわち携行時あっても表示部が露出したままの状態になるため、表示部の下部に最小限のキー操作部を設けることで、そのままの状態で電子メールを読んだり、インターネットを操作したり、一定の操作が可能になり、利便性が向上する。メール文書作成時などの操作時には、表示部とキー操作部を平行スライドさせることで、液晶部の下部に設置されたキー操作部を露出させ、操作を可能にする。そのような従来技術としては、特開２００５−２８６９９４号公報がある。【０００３】
特開２００５−２８６９９４号公報には、スライド型携帯電話機用モジュールが記載されている。このスライド型携帯電話機用モジュールは、携帯電話機における本体とカバー部との間に設けられ、前記カバー部を本体に対して滑動により開閉させる。この携帯電話機用モジュールは、下部プレート；上部プレート；及び第１コイルバネを備える。下部プレートは、携帯電話機の本体に結合される。上部プレートは、携帯電話機のカバー部に結合され、且つ、前記下部プレートに対して滑動される。第１コイルバネは、一端が、第１固定ピンにより前記下部プレートに固定され、他端が、 第２固定ピンにより前記上部プレートに固定され、且つ、所定長さを持つ。前記コイルバネの弾性力により、前記下部プレートに対して前記の上部プレートを滑動させる。【０００４】
また、スライド型携帯機器のスライド機構は、筐体の外側面を利用してコの字型にすれば十分構成可能である。しかし、磨耗によるがたつきを防止するため別部品としてスライド機構を構成する場合がある。そのような従来技術としては、特開２００６−９３９９９号公報がある。【０００５】
特開２００６−９３９９９号公報には、スライド型携帯電話機が開示されている。このスライド型携帯電話機は、第１の筐体と、第２の筐体と、スライド機構と、溝と、突出部とを設けている。第１の筐体は、少なくとも画像情報を表示する表示部を備えている。第２の筐体は、音声情報が入力される送話部を備えている。スライド機構は、前記第１の筐体と前記第２の筐体を相対的に平行移動させるスライダを含み、このスライダを介して、前記第１の筐体と前記第２の筐体をスライド可能に結合する。溝は、前記第１の筐体の前記表示部が設けられた正面の反対側の背面において、前記第１の筐体の外面と内面を貫通して形成されるとともに、前記スライド機構が前記第１の筐体の内面側に設けられ、前記第２の筐体と固定された前記スライダが摺動する第１の溝、および前記第１の筐体の外面と内面を貫通しないように形成され、前記第１の溝に沿って延在する第２の溝を有する。突出部は、前記第１の筐体と前記第２の筐体が前記スライド機構により結合された状態で、前記第１の筐体と対向する前記第２の筐体の正面側に設けられ、前記溝を形成する前記第２の溝と嵌合する。【０００６】
更に、スライド型携帯機器において、操作感を向上させるため別部品としてスライド機構を構成する場合がある。そのような従来技術としては、特開２００５−３０３６６３号公報がある。【０００７】
特開２００５−３０３６６３号公報には、携帯製品用スライドユニット及び携帯製品が開示されている。この携帯製品用スライドユニットは、携帯製品本体とこの携帯製品本体の正面をスライド可能に覆うカバーとの間に介装され、カバーを携帯製品本体に対して開方向又は閉方向に付勢する。携帯製品用スライドユニットは、前記カバーの開閉方向に沿って配置されたケースと、前記ケースに沿って摺動可能なスライダと、前記スライダを付勢するコイルばねと、前記スライダに一端が支持されるカムフォロアと、このカムフォロアの他端を案内するガイドと、前記スライダに連結し且つ前記携帯製品本体あるいはカバーのいずれか一方に連結する連結部材とを備えてなる。更に、前記ガイドの一端部側に、前記スライダが前記コイルばねの付勢に抗して移動した際、前記カムフォロアの他端の移動を、弾性変形に基づく付勢力によって規制する付勢部材が設けられている。【０００８】
これらの従来技術に開示されたスライド型携帯機器の筺体構造にはいくつかの問題がある。
第一の問題点は、伸長時に、折り畳み式携帯機器ほどの大きなストロークが確保できない点である。例えば、特開２００５−２８６９９４号公報は一般的なスライド型携帯電話である。この従来技術では、両端を支持された２本の円筒棒を移動軸として、可動側が移動する機構になっている。水平移動を可能にするには、移動方向に沿って２箇所以上の支持部が必要である。この場合には、移動軸に対して長手方向に線接触させている。ストロークを大きく取るには、支持部の間の距離を短くする必要がある。しかし、短くすると、すべりのための隙間が、傾いたときの角度となって大きく現れる。加えて、本従来技術では移動軸自身のたわみも発生させる。これらの結果、剛性の低下を招く。携帯電話の場合、伸長時に通話を行うため、耳に押し当てる荷重や、落下した場合など、伸長時にも剛性が必要になる。この点に鑑みると、支持部の間の距離をなるべく大きくとることが必要になり、結果としてストロークは制限されることになる。一般的には収縮時の全長に対しストロークは半分以下という場合が多い。【０００９】
第二の問題点は、磨耗によるがたつきや、操作感向上のためにスライド機構を別部品としているために、その分携帯電話の装置体積、重量が増してしまう点である。外観デザイン上、スライド機構を筐体内に設置する必要があるが、別部品として構成すると、その分の部品体積がそのまま装置体積へ影響してしまう。携帯電話はその利用シーンから小型軽量で携行しやすいことが最も重要な基本性能であるが、スライド型携帯電話として画面表示が常時確認できるようになっても、装置が大型化してしまうのでは意味がない。したがって、スライド機構は可能な限り小型軽量であることが望ましい。【００１０】
第三の問題点は、スライド型携帯電話の特徴として画面表示が常時確認できる点があるが、この特徴を生かして画面表示を拡大していくと、液晶等の表示部品は通常ガラス製であるため、画面が割れやすくなる点である。これを防ぐためには液晶画面とカバーの隙間を十分取って、さらに筐体の剛性を上げて変形を抑える必要がある。【００１１】
関連する技術として、特開２００６−３１９４１９号公報にスライド型携帯端末装置が記載されている。このスライド型携帯端末装置は、キー操作部が形成された操作部筐体と、表示パネルを保持する表示パネル保護フレームと、該表示パネル保護フレームを収容し前記操作部筐体とスライド可能に係合する表示部筐体と、を備える。このスライド型携帯端末装置は、前記操作部筐体にレールガイドを一体成型し、前記表示パネル保護フレームに前記レールガイドとスライド可能に係合するレール部を一体成型し、前記表示部筐体に前記レールガイド及びレール部を外側から覆うスカート部を設けている。【００１２】
特開２００２−９４６２４号公報に無線情報端末機が記載されている。この無線情報端末機は、携帯可能な小型のケーシングに、データ入力のための複数の操作キーと、情報表示のためのディスプレイとを配備している。この無線情報端末機において、ケーシングは、その長手方向に並ぶケーシング上半体とケーシング下半体から構成されている。ケーシング上半体とケーシング下半体とは、フレームに摺動可能に係合し、長手方向に沿って互いに接近離間可能である。フレームには、ディスプレイが取り付けられている。ケーシング上半体とケーシング下半体を互いに離間させた開き状態で、ディスプレイの表示画面の全体が露出する。ケーシング上半体とケーシング下半体を接近させた閉じ状態で、ディスプレイの表示画面の一部が露出する。【００１３】
特開２００４−２５３４８０号公報にスライド構造及びスライド型携帯電話が開示されている。このスライド構造は、ガイド溝を有する本体と、前記ガイド溝に嵌合して摺動するガイド部材を有するスライド部分とを具備する。このスライド構造は、前記本体の剛性がヤング率で４５ＧＰａ以上であり、前記ガイド溝の表面硬度がビッカース硬さで１００ＨＶ以上であり、前記ガイド部材は動摩擦係数が０．２μｄ以下の合成樹脂材料であり、前記ガイド溝を含む前記本体表面にはスリップ剤入りの塗料で塗装が施されている。【００１４】
特開２００６−２４６３５３号公報に携帯端末装置が開示されている。この携帯端末装置は、上筐体と、下筐体と、一対のスライド溝と、一対のスライド溝と、一対の接続用孔部と、一対の接続用孔部と、一対の上筐体用スライド接続用部材と、一対の下筐体用スライド接続用部材とを有する。一対のスライド溝は、上記上筐体の略下半分の領域に、該上筐体の両側面部にそれぞれ近接して該上筐体の長手方向に沿って設けられている。一対のスライド溝は、上記下筐体の略上半分の領域に、該下筐体の両側面部にそれぞれ近接して該下筐体の長手方向に沿って設けられている。一対の接続用孔部は、上記上筐体及び上記下筐体の各対向面同士を重ね合わせた際に、上記下筐体に設けられた各スライド溝を介して視認可能で、かつ、上記下筐体に設けられた各スライド溝の下端部近傍となるように上記上筐体側に設けられている。一対の接続用孔部は、上記上筐体及び上記下筐体の各対向面同士を重ね合わせた際に、上記上筐体に設けられた各スライド溝を介して視認可能で、かつ、上記上筐体に設けられた各スライド溝の上端部近傍となるように上記下筐体側に設けられている。一対の上筐体用スライド接続用部材は、上記上筐体に設けられた各スライド溝に沿ってスライド自在に係合する。一対の下筐体用スライド接続用部材は、上記下筐体に設けられた各スライド溝に沿ってスライド自在に係合する。上記上筐体及び上記下筐体は、各対向面同士を重ね合わせた状態で、上記上筐体に設けられた各スライド溝に係合させた上記上筐体用スライド接続用部材を、上記下筐体に設けられた各接続用孔部に固定すると共に、上記下筐体に設けられた各スライド溝に係合させた上記下筐体用スライド接続用部材を、上記上筐体に設けられた各接続用孔部に固定することで、上記上筐体及び上記下筐体が相互にスライド移動可能に接続されている。【００１５】
特開２００６−３３３０７９号公報にスライド型携帯通信機が記載されている。このスライド型携帯通信機は、第１の筐体と、第２の筐体と、スライドモジュールとを設けている。このスライドモジュールは、溝が形成されたガイド部材、前記第２の筐体に固定されて、前記ガイド部材に沿って摺動可能なスライド部材、前記ガイド部材に固定されて、前記スライド部材の摺動を規制するシャフト部材、このシャフト部材に設けられ、前記スライド部材を前記シャフト部材に沿って摺動させる弾性力を前記スライド部材に作用させる弾性部材を含む。このスライドモジュールは、前記第１の筐体に対して前記第２の筐体を相対的に平行移動可能に連結する。
【発明の開示】
【００１６】
本発明の目的は、単純な機構で小型かつ高強度であり、大きなストローク長を取ることが可能で、小型・薄型を維持したまま画面表示の損傷を保護することが可能な高剛性を有する携帯機器のスライド機構及び携帯機器を提供することにある。
【００１７】
本発明のスライド構造は、第２筐体と第２筐体に摺動可能に設けられた第１筐体とを具備する携帯機器のスライド構造である。第１筐体の表示装置が内部に収められ、摺動方向に平行な側面にスライド溝を有する表示部フレームと、第２筐体の摺動方向に平行な側面に沿って設けられ、先端部分がスライド溝に摺動可能に係合するスライド支持部とを具備する。
【００１８】
本発明の携帯機器は、第２筐体と、第２筐体に摺動可能に設けられた第１筐体と、スライド構造とを具備する。スライド構造は、第１筐体の表示装置が内部に収められ、摺動方向に平行な側面にスライド溝を有する表示部フレームと、第２筐体の摺動方向に平行な側面に沿って設けられ、先端部分がスライド溝に摺動可能に係合するスライド支持部とを具備する。
【００１９】
本発明により、単純な機構で小型かつ高強度であり、大きなストローク長を取ることが可能で、小型・薄型を維持したまま画面表示の損傷を保護することが可能な高剛性を有する携帯機器のスライド機構及び携帯機器を得ることができる。
【図面の簡単な説明】
【００２０】
上記発明の目的、効果、特徴は、添付される図面と連携して実施の形態の記述から、より明らかになる。【００２１】
【図１】図１は、本発明の実施の形態に係る携帯機器のスライド機構を適用した携帯電話の構成を示す斜視図である。
【図２】図２は、本発明の実施の形態に係る携帯機器のスライド機構を適用した携帯電話の構成を示す斜視図である。
【図３】図３は、図１の携帯電話における筐体の分解図である。
【図４】図４は、図１の携帯電話における筐体の断面図である。
【図５Ａ】図５Ａは、図１の携帯電話におけるスライド構造の機構を示した斜視図である。
【図５Ｂ】図５Ｂは、図１の携帯電話におけるスライド構造の機構を示した斜視図である。
【図６】図６は、本発明の他の実施の形態に係る携帯機器のスライド機構を適用した携帯電話の構成を示す断面図である。
【図７】図７は、本発明の更に他の実施形態に係る携帯機器のスライド機構の斜視図である。
【図８】図８は、図７のスライド機構を適用した携帯電話の断面図である。
【発明を実施するための最良の形態】
【００２２】
以下、添付図面を参照して、本発明の実施の形態に係る携帯機器のスライド機構及び携帯機器を説明する。ここでは、携帯機器として携帯電話を例にして説明する。しかし、本発明はこの例に限定されること無く、他の携帯機器、例えばデジタルカメラ、電子手帳、携帯ゲーム機においても本発明を適用可能である。【００２３】
図１及び図２は、本発明の実施の形態に係る携帯機器のスライド機構を適用した携帯電話の構成を示す斜視図である。図１は収納状態、図２は伸張状態をそれぞれ示している。【００２４】
携帯電話１は上部筐体１００と下部筐体２００とに大きく分かれる。
上部筐体１００内にはレシーバ、表示部、基本操作キー、サブ基板など（以上、図示されず）が内蔵されている。下部筐体２００には、主基板（２２２）の他、キー操作部、マイク、外部コネクタ、スピーカ、バイブモータ、電池（２２１）、カメラなど主要部品（図示されず）が内蔵されている。それら主要部品は、主基板に接続されている。上部筐体１００は下部筐体２００に摺動可能に支持されている。【００２５】
収納状態では、上部筐体１００上にスクリーン１１０及び操作キー設置面１０１が現れている。それにより、ユーザは、スクリーン１１０を観ることができ、操作キー設置面１０１上のキー（図示されず）を操作することができる。伸張状態では、上部筐体１００が下部筐体２００に対して本発明の実施の形態に係るスライド機構でスライドすることにより、下部筐体２００上の操作キー設置面２０１が現れる。それにより、ユーザは、スクリーン１１０を観ることができ、操作キー設置面２０１上のキー（図示されず）を操作することができる。【００２６】
図３は図１の携帯電話における筐体の分解図であり、図４は図１の携帯電話における筐体の断面図である。
上部筐体１００は、スクリーン１１０、表示ユニット１１１、表示部フレーム１２０、外装筐体１３０を備えている。
表示ユニット１１１は、液晶表示装置に例示される駆動部を含む表示パネルである。略矩形形状を有する。
表示部フレーム１２０は、表示ユニット１１１を搭載している。矩形形状の底面、及び、その四辺に垂直に設けられた四つの側面により形成されている。
外装筐体１３０は、上部筐体１００の基本形状を構成する筐体であり、サブ基板など（図示されず）を搭載し、表示部フレーム１２０を含んでいる。薄型直方体形状を有するが、スクリーン１１０及び表示ユニット１１１の領域が開口している。また、必要に応じて、配線等が通る領域に開口部を有する。
スクリーン１１０は、外装筐体１３０の一方の面にはめ込まれて、その一側面を形成している。【００２７】
表示部フレーム１２０は、表示部設置部１２１、スライド溝１２２、取り付け部１２３（取り付け穴１２３ａを含む）を備えている。
表示部設置部１２１は、表示部フレーム１２０の底面上の側面に囲まれた領域であり、そこに表示ユニット１１１が設置されている。
スライド溝１２２は、表示部フレーム１２０の四つの側面の内、上部筐体１００の摺動方向に平行な二つの対向する側面に、その摺動方向に沿って設けられている。スライド機構の案内面（スライドガイド）となる。
取り付け部１２３は、表示部フレーム１２０の四つの側面の内、上部筐体１００の摺動方向に垂直な二つの対向する側面に設けられている。表示部フレーム１２０と外装筐体１３０とは、取り付け部１２３の取り付け穴１２３ａでねじ止めされている。ただし、表示部フレーム１２０と外装筐体１３０とを接着しても良いし、一体成形としても良い。【００２８】
下部筐体２００は、支持筐体２１０、外装筐体２２０、バックカバー２３０を備えている。
支持筐体２１０は、上部筐体１００（表示部フレーム１２０）を所定の方向に摺動（滑動）可能に支持する。薄型直方体形状を有する。ただし、スライド溝１２２に平行な二つの対向する側面の一部分がスライド溝１２２方向に延びている（スライド支持部２１１：後述）。
外装筐体２２０は、枠構造を有し、下部筐体２００の基本形状を構成する筐体である。
支持筐体２１０を含み保持している。
バックカバー２３０は、内部に主基板２２２や電池２２１などを搭載するとともに、外装筐体２２０を含み保持するカバーである。支持筐体２１０と外装筐体２２０とは接着または一体成形が可能である。バックカバー２３０は外装筐体２２０に裏側からねじ止めされている。【００２９】
支持筐体２１０は、スライド支持部２１１、上記の操作キー設置面２０１を備えている。
スライド支持部２１１は、支持筐体２１０におけるスライド溝１２２に平行な二つの対向する側面の一部分がスライド溝１２２方向に延びて形成されている。そのスライド溝１２２方向に延びた側面の先端部分は、スライド溝１２２内に曲がっている。その先端部分がスライド溝１２２に摺動可能に係合することにより、表示部フレーム１２０が支持筐体２１０に摺動可能に支持される。【００３０】
図５Ａ及び図５Ｂは、図１の携帯電話におけるスライド構造の機構を示した斜視図である。図５Ａは収納時、図５Ｂは伸張時をそれぞれ示している。ここでは、分かり易さのために、表示部フレーム１２０及び支持筐体２１０のみを示している。【００３１】
図５Ａ及び図５Ｂにおいて、表示部フレーム１２０のスライド溝１２２内を支持筐体２１０のスライド支持部２１１が摺動する。これにより、上部筐体１００は、下部筐体２００上をスライドする。伸長時には表示部フレーム１２０が支持筐体２１０よりも大きくオーバーハングする。表示部フレーム１２０の表示部設置部１２１の凹形状によって、表示部フレーム１２０は薄肉であっても剛性が高い。さらに、スライド溝１２２によって、リブ構造の原理により、表示部フレーム１２０の剛性が高くなる。そのため、オーバーハングを大きくとっても変形することはない。表示部フレーム１２０および支持筐体２１０は金属製で、マグネシウム合金や亜鉛合金の成形品が望ましい。また、メタルインジェクションによりステンレス等にするとさらに剛性をあげることができる。【００３２】
これらの部品は金属性のため、滑らかに摺動させるためには潤滑が必要になる。グリスによる潤滑も十分可能だが、携帯品として使用者が様々な使用環境、特に高温下で常時使用することを考えるとグリスの筐体内部流出、さらには筐体外への流出することを防ぐ必要がある。グリス以外の潤滑方法として表面処理による固体潤滑がある。固体潤滑を行うことで十分滑らかな摺動を得ることが可能である。また、ある程度の肉厚が取れれば、樹脂製とすることも可能である。この場合には摺動性の高い樹脂を選択することで、表面潤滑処理を行わずに使用することも可能である。【００３３】
上記実施の形態では、表示部フレーム１２０とスライド溝１２２とは同一部品（一体）として構成されている。しかし、表示部フレーム１２０とスライド溝１２２とを別部品とすることも可能である。図６は、本発明の他の実施の形態に係る携帯機器のスライド機構を適用した携帯電話の構成を示す断面図である。図に示されるように、表示部フレーム１２０にスライドプレート１２５を溶接、ねじ止め又は接着することで、スライド溝１２２を別部品で構成することも可能である。この場合、別部品で構成することになるため、表示部フレーム１２０を板金プレスによって製作することが可能になる。プレス加工を採用することで、表示部フレーム１２０の肉厚を成形品と比べてさらに薄くすることが可能になり、装置の小型化が可能になる。【００３４】
表示部フレーム１２０とスライド溝１２２とを別部品とする場合、以下のような構成も可能である。図７は、本発明の更に他の実施形態に係る携帯機器のスライド機構の斜視図である。図８は、図７のスライド機構を適用した携帯電話の断面図である。図に示されるように、表示部フレーム１２０は、表示部フレーム１２０の底面から張り出した部分を備える。筐体に設けられた凹みとスライド溝１２２との間を支持筐体２１０の支持部２１１が摺動する。スライド溝１２２が厚み方向に寄与しないため、筐体の薄型化が可能である。【００３５】
図８に示されるように、スライド溝（スライド溝部分）１２２は、表示部フレーム１２０の底面部分から横方向に張り出した張り出し部分を備える。張り出し部分は、表示部フレーム１２０の底面と同一平面上に配置される。ここで、横方向は、上部筐体１００及び下部筐体２００の摺動方向及びこれらの厚み方向に垂直である。張り出し部分は、摺動方向に延びている。表示部フレーム１２０は、張り出し部分と対向するように摺動方向に延びる凸部形成部分を備える。凸部形成部分には、張り出し部分に向かって凸である凸部が形成されている。凸部は、例えばプレス加工により、摺動方向に延びるように形成される。凸部は、表示部フレーム１２０の強度に貢献する。支持部２１１は、張り出し部分と凸部の間を摺動する。【００３６】
スクリーン１１０は、静電容量型や抵抗式のタッチパネル機能を付加することも可能である。タッチパネルとすると押圧がスクリーンを介して表示パネルに加わるが、表示部設置部１２１がガイドと一体になっており強度確保に有利なため、このような構造も有効である。タッチパネルではなく、通常のスクリーンの一部を切り欠いてドームキー構造やゴム式キー構造など機械式のキーを設置することも可能である。【００３７】
上記実施の形態により、以下の効果を得ることができる。
第１の効果は、表示部フレーム１２０にスライド機構の機能を担わせることで、スライド機構を別部品とした場合に比べて構成部品点数を削減できる点である。
第２の効果は、特開２００５−３０３６６３号公報に代表されるように、操作感のよいスライド機構を構成するためには摺動性の高い部品での摺動面を構成する必要があり、安定した摺動のためには摺動面が高剛性で且つ高い平面度をもつ面であることが要求されるが、表示部フレーム１２０とスライド機構とを一体化することで、別部品で構成した場合よりも高い剛性が期待でき、部品製作上も高い平面度をもつことが容易になる点である。
第３の効果は、大画面化とロングストローク化を両立させることが容易な点である。第２の効果に記載した摺動面はストローク長と相手方との保持長を足し合わせた長さが必要であり、ストロークが長いとそれだけ大きくなる。表示部フレーム１２０を摺動面として構成するため、画面の大きさが大きくなれば、それだけ表示部フレーム１２０が大きくなるので、結果として大きくストロークを取ることができる。
第４の効果は、スライドガイド部を兼ねた表示部フレーム１２０を金属部品とし、外装体と一体成形とすることで、小型化と高剛性を両立させた筐体を構成することが可能な点である。【００３８】
上記実施の形態による携帯機器のスライド構造及び携帯機器のうちのあるものは、例えば、以下のようにまとめることが可能である。【００３９】
スライド構造は、第２筐体と第２筐体に摺動可能に設けられた第１筐体とを具備する携帯機器のスライド構造である。第１筐体の表示装置が内部に収められ、摺動方向に平行な側面にスライド溝を有する表示部フレームと、第２筐体の摺動方向に平行な側面に沿って設けられ、先端部分がスライド溝に摺動可能に係合するスライド支持部とを具備する。表示装置を支える表示部フレームを用いてスライド機構を構成している。それにより、表示装置の大型化による表示部フレームの高強度化と、スライド機構を別部品とした構成した場合の部品増を抑制できる。これらの相乗効果によって、携帯機器を大型化することなく、表示装置の大型化と高剛性化を両立したスライド型の携帯機器（例示：携帯電話）が構成可能となる。【００４０】
上記のスライド構造において、表示部フレームは、摺動方向に平行な対向する二つの側面にそれぞれスライド溝を有することが好ましい。スライド支持部は、第２筐体の摺動方向に平行な対向する二つの側面に沿って設けられ、先端部分がスライド溝に摺動可能に係合することが好ましい。【００４１】
上記のスライド構造において、表示部フレームは金属製であり、第１筐体の外装筐体とねじ止め又は接着固定されていることが好ましい。【００４２】
上記のスライド構造において、表示部フレームは金属製であり、第１筐体の外装筐体と一体成形で製作されることが好ましい。【００４３】
上記のスライド構造において、表示部フレームは潤滑性樹脂であることが好ましい。【００４４】
上記のスライド構造において、表示部フレームは、表示部フレームの側面に設けられた摺動方向に伸びる板状部品を備えることが好ましい。スライド溝は、表示部フレームの側面と板状部品との間隙で構成されることが好ましい。板状部品は、表示部フレームに対し、溶接、ねじ止め又は接着される。【００４５】
上記のスライド構造において、表示部フレームが金属板金のプレス加工によることが好ましい。【００４６】
携帯機器は、上記各項のいずれかに記載のスライド構造と、第２筐体と、第２筐体に摺動可能に設けられた第１筐体とを具備する。【００４７】
本発明は上記各実施の形態に限定されず、本発明の技術思想の範囲内において、各実施の形態は適宜変形又は変更され得ることは明らかである。【００４８】
この出願は、２００７年３月３０日に出願された日本出願特願２００７−０９５２３３を基礎とする優先権を主張し、その開示の全てをここに取り込む。
【図１】
2008120706.tif 000003
【図２】
2008120706.tif 000004
【図３】
2008120706.tif 000005
【図４】
2008120706.tif 000006
【図５Ａ】
2008120706.tif 000007
【図５Ｂ】
2008120706.tif 000008
【図６】
2008120706.tif 000009
【図７】
2008120706.tif 000010
【図８】
2008120706.tif 000011
【国際調査報告】
2008120706.tif 000012
2008120706.tif 000013
2008120706.tif 000014
2008120706.tif 000015